(57)【要約】【課題】装着の容易なパンツ型使い捨ておむつを提供すること。【解決手段】液透過性のトップシート２、液不透過性のバックシート３及び両シート間に介在された液保持性の吸収体４を具備し、包装状態において所定の形状に折り畳まれるパンツ型の使い捨ておむつであり、おむつ１の左右両側縁部の位置に、該おむつの側縁と交差するように、帯状弾性部材１０，１０がそれぞれ配されている。【選択図】図４
2006247429.tif 000002
【特許請求の範囲】
【請求項１】
液透過性のトップシート、液不透過性のバックシート及び両シート間に介在された液保持性の吸収体を具備し、包装状態において所定の形状に折り畳まれる使い捨ておむつにおいて、
少なくとも、上記包装状態において折り曲げられる部位に、曲げ反発弾性を有する部材が配されている使い捨ておむつ。
【請求項２】
曲げ反発弾性を有する上記部材が、上記バックシートと上記吸収体との間に配されている請求項１記載の使い捨ておむつ。
【請求項３】
曲げ反発弾性を有する上記部材が、おむつの長手方向及び／又は幅方向に配された帯状部材である請求項１又は２記載の使い捨ておむつ。
【請求項４】
曲げ反発弾性を有する上記部材が、実質的に非伸張状態で配されている請求項１〜３の何れかに記載の使い捨ておむつ。
【発明の詳細な説明】
【技術分野】
【０００１】
本発明は、装着の容易な使い捨ておむつに関する。
【背景技術】
【０００２】
一般に使い捨ておむつは展開型とパンツ型とに大別される。そして、何れの型の使い捨ておむつにおいても、その包装状態においては、包装パッケージをコンパクト化して取り扱い易くしたり占有空間を小さくするために、所定の形状に折り畳まれている。また、これらの使い捨ておむつには、身体とのフィット性を向上させるための弾性体が伸張状態下に配されているため、おむつが収縮しやすい状態にある。
【０００３】
しかし、このように折り畳まれた状態或いは収縮しやすい状態の使い捨ておむつは、その折曲部等にいわゆる折りぐせやしわが付いていることから、おむつを着用者に装着させようとして、折り畳まれたおむつを装着形状に開いても、手を離すと上記折りぐせ等による復元力で自然と元の折り畳み形状に近い形状に戻ってしまい、装着させにくい場合があった。
【０００４】
例えば、特許文献１には、装着時におけるフィット性に優れるとともに、折り畳みの安定性に優れ、かつコンパクト化を図った使い捨ておむつが開示されている。
【０００５】
【特許文献１】特開平３−２１２３８号公報
【発明の開示】
【発明が解決しようとする課題】
【０００６】
従って、本発明は、装着の容易な使い捨ておむつを提供することを目的とする。
【課題を解決するための手段】
【０００７】
本発明者らは、おむつが装着形状となる方向に力を付勢する部材を、おむつの特定の部位に配することによって上記目的が達成されることを知見した。
【０００８】
即ち、本発明は、液透過性のトップシート、液不透過性のバックシート及び両シート間に介在された液保持性の吸収体を具備し、包装状態において所定の形状に折り畳まれる使い捨ておむつにおいて、
少なくとも、上記包装状態において折り曲げられる部位に、曲げ反発弾性を有する部材が配されている使い捨ておむつを提供することにより上記目的を達成したものである。
【発明の効果】
【０００９】
本発明によれば、装着の容易な使い捨ておむつが提供される。
【発明を実施するための最良の形態】
【００１０】
以下、本発明の使い捨ておむつを、その好ましい実施形態に基づき図面を参照しながら説明する。
【００１１】
図１には本発明の第１の実施形態の使い捨ておむつをバックシート側から見た一部破断平面図が示されている。この使い捨ておむつ１は、展開型のおむつであり、液透過性のトップシート２、液不透過性のバックシート３及び両シート２，３の間に介在された液保持性の吸収体４を有している。吸収体４は、おむつ１の股下領域に対応する領域がくびれた砂時計形状に湾曲形成され、トップシート２及びバックシート３も、吸収体４の形状に即しておむつ１の股下領域に対応する領域が湾曲形成されている。そして、吸収体４は、トップシート２及びバックシート３によって挟持・固定されている。その結果、使い捨ておむつ１には、着用時に着用者の腹側に位置する腹側部Ａ及び背側に位置する背側部Ｂ並びに着用者の股下部に位置する股下部Ｃが形成されている。
【００１２】
吸収体４の前後および左右端縁部から外方に延出するトップシート２及びバックシート３によって形成される背側および腹側のウエスト部５，５'と一対のレッグ部６，６とには、おむつ１を着用した際に、ウエスト部５，５'とレッグ部６，６とを着用者の身体にフィットさせるための複数の伸縮性部材７が、トップシート２及びバックシート３によって固定されて設けられている。
【００１３】
背側部Ｂにおけるウエスト部５の幅方向左右両側部には、一対の止着具８，８が配されている。この止着具８は、おむつの着用時に、腹側部Ａのバックシート上に配された被着具（図示せず）へ止着することによって、腹側部Ａと背側部Ｂとを互いに固定するものである。
【００１４】
この使い捨ておむつ１は、その包装時には、先ず図２（ａ）に示すようにおむつの長手方向に沿う折曲線Ｍ１，Ｍ２の位置で、トップシート２側に向けて幅方向に三つ折りされ、図２（ｂ）に示す形状となされる。次に、おむつの幅方向に沿う折曲線Ｔ１，Ｔ２の位置で、トップシート２側に向けて長手方向に三つ折りされ、その包装状態においては図２（ｃ）に示す折り畳み形状となる。
【００１５】
而して、本実施形態の使い捨ておむつ１においては、上記包装状態において折り曲げられる部位、即ち折曲線Ｍ１，Ｍ２の位置及び折曲線Ｔ１，Ｔ２の位置に、これらの折曲線と交差するように、上記おむつ１が十分に展開するに足る程度の曲げ反発弾性を有する部材（以下、この部材を単に弾性部材という）が配されている。本実施形態においては、図１に示すように、折曲線Ｔ１，Ｔ２と交差するように長手方向弾性部材１０ａが配されており、また折曲線Ｍ１，Ｍ２と交差するように幅方向弾性部材１０ｂ，１０ｂが配されている。即ち、上記弾性部材がおむつ１の長手方向及び幅方向に配されている。長手方向弾性部材１０ａは帯状のものであり、おむつ１の幅方向中心線の位置に、おむつ長手方向に沿って一本配されている。一方、幅方向弾性部材１０ｂも帯状のものであり、おむつ１の腹側部Ａ及び背側部Ｂの位置において、おむつ１の幅方向に沿ってそれぞれ一本ずつ配されている。また、これらの弾性部材１０ａ，１０ｂは何れもバックシート３と吸収体４との間に実質的に非伸張状態で配されている。斯かる弾性部材１０ａ，１０ｂをおむつ１の包装状態において折り曲げられる部位に配することによって、折り畳まれて包装状態にあるおむつ１を包装パッケージから取り出して展開状態にすると、おむつ１の折曲部（本実施形態では折曲線Ｍ１，Ｍ２，Ｔ１，Ｔ２の位置）が、弾性部材１０ａ，１０ｂの曲げ反発弾性による復元力で外方（即ちバックシート側）に付勢されて、おむつ１が自然と平坦ないしそれに近い状態まで展開し且つ内方（即ちトップシート側）へ戻らないようになる。その結果、おむつ１から手を離しても、その展開状態が保持され、おむつ１の装着が極めて容易となる。
【００１６】
上記弾性部材を構成する材料としては、ウレタンフォームやポリオレフィンフォーム等の発泡体、ポリオレフィン系エラストマー、メタロセン低密度ポリエチレン、熱可塑性エラストマー、天然ゴムや合成ゴム等の各種ゴムなどが例示される。
【００１７】
おむつ１の展開時に十分な曲げ反発弾性力を得、かつ包装状態におけるおむつ１の折り畳み状態を保持する観点から、上記弾性部材はその曲げ剛性の値が、当該弾性部材が配された位置において、おむつ１の折曲部における該弾性部材を除いた部材すべての曲げ剛性の値を超えることが好ましい。
【００１８】
本実施形態における弾性部材の配置態様は上述の態様に限られず、例えば弾性部材をおむつ１の長手方向又は幅方向にのみ配してもよく、また図３（ａ）〜（ｇ）に示す配置態様とすることも可能である。図３（ａ）においては、左右のレッグ部の内方の位置におむつの長手方向に沿って帯状弾性部材がそれぞれ一本ずつ配されていると共に腹側部及び背側部の位置におむつの幅方向に沿ってそれぞれ二本ずつ帯状弾性部材が配されている。図３（ｂ）においては、おむつの股下部における幅方向中心線の位置におむつ長手方向に沿って一本の帯状弾性部材が配されていると共に該弾性部材の両端からそれぞれ分岐するＶ字型の帯状弾性部材が腹側部及び背側部の位置にそれぞれ配されている。図３（ｃ）においては、おむつの対角線の位置に二本の帯状弾性部材がＸ字型をなすように配されている。図３（ｄ）においては、帯状の弾性部材が格子状（ネット状）に配されている。図３（ｅ）は帯状弾性部材が曲線状に配された例である。図３（ｆ）においては、バックシート３における周縁部３'を除くすべての領域に弾性部材が配されている。この場合、弾性部材はバックシート３上に接着剤を介して貼設されていてもよく、或いは該弾性部材を構成する樹脂をバックシート上に溶融ラミネートして形成してもよい。図３（ｇ）はバックシート３そのものが弾性部材から構成されている例である。そして、これら何れの場合においても、弾性部材はおむつの包装状態において折り曲げられる部位に配されている。
【００１９】
次に、本発明の第２の実施形態を、図４を参照しながら説明する。第２の実施形態については上述した第１の実施形態と異なる点についてのみ説明し、特に説明しない点については第１の実施形態に関して詳述した説明が適宜適用される。また、図４において図１〜図３と同じ部材には同じ符号を付してある。
【００２０】
本実施形態の使い捨ておむつ１は、パンツ型の使い捨ておむつであり、第１の実施形態の展開型の使い捨ておむつにおける腹側部及び背側部それぞれの両側縁部が接合固定されて、ウエスト開口部１１及び一対のレッグ開口部１２，１２が形成された形態となっている。本実施形態の使い捨ておむつ１は、その包装時には、図４（ａ）に示すように、おむつ１の左右両側縁部が折曲部となって単に腹側部Ａと背側部Ｂとが密着するように圧縮された包装状態となるか、又は図４（ａ）に示す包装状態から更に腹側部Ａの方向に向けておむつの長手方向に二つ折りされた包装状態〔即ち図４（ｂ）に示す包装状態〕となる。
【００２１】
而して、本実施形態の使い捨ておむつ１においては、上記包装状態において折り曲げられる部位に、該おむつ１の内部が十分に拡開するに足る程度の曲げ反発弾性を有する上記弾性部材が実質的に非伸張状態で配されている。例えば、図４（ａ）に示す包装状態においては、おむつ１の左右両側縁部の位置に、おむつの側縁と交差するように（ウエスト開口部１１と平行になるように）、帯状弾性部材１０，１０がそれぞれ配されている。また図４（ｂ）に示す包装状態においては、図４（ａ）と同様な位置に帯状弾性部材１０，１０がそれぞれ配されていると共におむつの背側部Ｂにおける幅方向中心線の位置に、上記二つ折りされる折曲線と交差するように帯状弾性部材１０'が配されている。斯かる弾性部材１０，１０'を配することにより、図４（ａ）に示す包装状態にある使い捨ておむつ１を包装パッケージから取り出してウエスト開口部１１を開くと、おむつ１の左右両側部が、弾性部材１０，１０の曲げ反発弾性による復元力で図４（ａ）中矢印で示す方向に付勢されて、図４（ａ'）に示すようにウエスト開口部１１が拡開してその面積が大きくなり且つその状態が維持される。また、これに伴いレッグ開口部１２，１２も拡開する。
【００２２】
一方、図４（ｂ）に示す包装状態にある使い捨ておむつ１を包装パッケージから取り出すと、弾性部材１０'の曲げ反発復元力で、長手方向に二つ折りされた包装状態から自然と二つ折りされる前の状態に戻り〔この状態は図４（ａ）に示す状態に相当する〕、更に図４（ａ）及び（ａ'）で示される場合と同様にウエスト開口部１１及びレッグ開口部１２，１２が拡開しその面積が大きくなる〔図４（ｂ'）参照〕。
【００２３】
このように図４（ａ）及び図４（ｂ）何れの場合においても、包装パッケージから取り出された使い捨ておむつ１は、ウエスト開口部１１及びレッグ開口部１２，１２が拡開し且つその状態が維持されるので、その装着が極めて容易となる。
【００２４】
本発明の使い捨ておむつは上記実施形態に制限されず、本発明の趣旨を逸脱しない範囲において種々の変更が可能である。
例えば、上述の第１及び第２の実施形態においては、弾性部材がバックシート３と吸収体４との間に配されているが、これに代えて弾性部材を他の位置、例えばトップシート２と吸収体４との間に配したり或いは吸収体４中に配してもよい。
また、図４（ａ）及び（ｂ）に示す実施形態においては、弾性部材１０，１０がおむつの左右両側部にそれぞれ配されているが、これに代えて該両側部を含むおむつの全周囲に亘って弾性部材を配してもよい。この場合にはウエスト開口部が一層大きく拡開する。
また、図４（ａ）及び（ｂ）に示す実施形態においては、同図で示される位置に弾性部材を配することに加えて又はそれに代えて、図５に示すように、レッグ開口部１２，１２に沿って弾性部材１０，１０を配してもよく、またおむつの股下部の位置におむつの長手方向に沿って弾性部材１０を配してもよい。特にレッグ開口部に沿って弾性部材を配することで、レッグ開口部からの液漏れを効果的に防ぐことができる。
また、図４（ｂ）に示す実施形態においては、弾性部材１０'が背側部Ｂに配されているが、これに代えて該弾性部材１０'を腹側部Ａに配してもよく或いは腹側部Ａ及び背側部Ｂの両方に配してもよい。
【図面の簡単な説明】
【００２５】
【図１】本発明の第１の実施形態の使い捨ておむつをバックシート側から見た一部破断平面図である。
【図２】図１に示す使い捨ておむつの包装状態を示す図である。
【図３】弾性部材の配置の態様を示す模式図である。
【図４】本発明の第２の実施形態の使い捨ておむつのウエスト開口部が拡開していく状態を示す模式図である。
【図５】本発明の第２の実施形態の使い捨ておむつにおける弾性部材の配置の別の態様を示す模式図（図４相当図）である。
【符号の説明】
【００２６】
１    使い捨ておむつ
２    トップシート
３    バックシート
４    吸収体
１０，１０'，１０ａ，１０ｂ    弾性部材
【図１】
2006247429.tif 000003
【図２】
2006247429.tif 000004
【図３】
2006247429.tif 000005
【図４】
2006247429.tif 000006
【図５】
2006247429.tif 000007
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
液透過性のトップシート、液不透過性のバックシート及び両シート間に介在された液保持性の吸収体を具備し、包装状態において所定の形状に折り畳まれるパンツ型の使い捨ておむつにおいて、上記おむつの左右両側縁部の位置に、該おむつの側縁と交差するように、帯状弾性部材がそれぞれ配されているパンツ型の使い捨ておむつ。
【請求項２】
弾性部材が、上記おむつのレッグ開口部に沿って配されている請求項１記載のパンツ型の使い捨ておむつ。
【請求項３】
上記帯状弾性部材とは別の帯状弾性部材が、上記おむつの長手方向に二つ折りされる折曲線と交差するように配されている請求項１又は２記載のパンツ型の使い捨ておむつ。
【手続補正３】
【補正対象書類名】明細書
【補正対象項目名】０００１
【補正方法】変更
【補正の内容】
【０００１】
本発明は、装着の容易なパンツ型の使い捨ておむつに関する。
【手続補正４】
【補正対象書類名】明細書
【補正対象項目名】０００６
【補正方法】変更
【補正の内容】
【０００６】
従って、本発明は、装着の容易なパンツ型の使い捨ておむつを提供することを目的とする。
【手続補正５】
【補正対象書類名】明細書
【補正対象項目名】０００８
【補正方法】変更
【補正の内容】
【０００８】
即ち、本発明は、液透過性のトップシート、液不透過性のバックシート及び両シート間に介在された液保持性の吸収体を具備し、包装状態において所定の形状に折り畳まれるパンツ型の使い捨ておむつにおいて、上記おむつの左右両側縁部の位置に、該おむつの側縁と交差するように、帯状弾性部材がそれぞれ配されているパンツ型の使い捨ておむつを提供することにより上記目的を達成したものである。
【手続補正６】
【補正対象書類名】明細書
【補正対象項目名】０００９
【補正方法】変更
【補正の内容】
【０００９】
本発明によれば、装着の容易なパンツ型の使い捨ておむつが提供される。
【手続補正７】
【補正対象書類名】明細書
【補正対象項目名】００１０
【補正方法】変更
【補正の内容】
【００１０】
以下、本発明の使い捨ておむつを、その好ましい実施形態に基づき図面を参照しながら説明する。以下に説明する第１の実施形態は、参考実施形態である。第１の実施形態は展開型の使い捨ておむつであるのに対して、後述する本発明の第２の実施形態はパンツ型の使い捨ておむつである。
【手続補正８】
【補正対象書類名】明細書
【補正対象項目名】００１１
【補正方法】変更
【補正の内容】
【００１１】
図１には第１の実施形態の使い捨ておむつをバックシート側から見た一部破断平面図が示されている。この使い捨ておむつ１は、展開型のおむつであり、液透過性のトップシート２、液不透過性のバックシート３及び両シート２，３の間に介在された液保持性の吸収体４を有している。吸収体４は、おむつ１の股下領域に対応する領域がくびれた砂時計形状に湾曲形成され、トップシート２及びバックシート３も、吸収体４の形状に即しておむつ１の股下領域に対応する領域が湾曲形成されている。そして、吸収体４は、トップシート２及びバックシート３によって挟持・固定されている。その結果、使い捨ておむつ１には、着用時に着用者の腹側に位置する腹側部Ａ及び背側に位置する背側部Ｂ並びに着用者の股下部に位置する股下部Ｃが形成されている。
【手続補正９】
【補正対象書類名】明細書
【補正対象項目名】００２１
【補正方法】変更
【補正の内容】
【００２１】
而して、本実施形態の使い捨ておむつ１においては、上記包装状態において折り曲げられる部位に、該おむつ１の内部が十分に拡開するに足る程度の曲げ反発弾性を有する上記弾性部材が実質的に非伸張状態で配されている。例えば、図４（ａ）に示す包装状態においては、おむつ１の左右両側縁部の位置に、おむつの側縁と交差するように（ウエスト開口部１１と平行になるように）、帯状弾性部材１０，１０がそれぞれ配されている。また図４（ｂ）に示す包装状態においては、図４（ａ）と同様な位置に帯状弾性部材１０，１０がそれぞれ配されていると共におむつの背側部Ｂにおける幅方向中心線の位置に、上記二つ折りされる折曲線と交差するように、上記帯状弾性部材１０とは別の帯状弾性部材１０'が配されている。斯かる弾性部材１０，１０'を配することにより、図４（ａ）に示す包装状態にある使い捨ておむつ１を包装パッケージから取り出してウエスト開口部１１を開くと、おむつ１の左右両側部が、弾性部材１０，１０の曲げ反発弾性による復元力で図４（ａ）中矢印で示す方向に付勢されて、図４（ａ'）に示すようにウエスト開口部１１が拡開してその面積が大きくなり且つその状態が維持される。また、これに伴いレッグ開口部１２，１２も拡開する。
【手続補正１０】
【補正対象書類名】明細書
【補正対象項目名】００２４
【補正方法】変更
【補正の内容】
【００２４】
本発明の使い捨ておむつは上記実施形態に制限されず、本発明の趣旨を逸脱しない範囲において種々の変更が可能である。
例えば、上述の第１及び第２の実施形態においては、弾性部材がバックシート３と吸収体４との間に配されているが、これに代えて弾性部材を他の位置、例えばトップシート２と吸収体４との間に配したり或いは吸収体４中に配してもよい。
また、図４（ａ）及び（ｂ）に示す実施形態においては、弾性部材１０，１０がおむつの左右両側部にそれぞれ配されているが、これに代えて該両側部を含むおむつの全周囲に亘って弾性部材を配してもよい。この場合にはウエスト開口部が一層大きく拡開する。
また、図４（ａ）及び（ｂ）に示す実施形態においては、同図で示される位置に弾性部材を配することに加えて、図５に示すように、レッグ開口部１２，１２に沿って弾性部材１０，１０を配してもよく、またおむつの股下部の位置におむつの長手方向に沿って弾性部材１０を配してもよい。特にレッグ開口部に沿って弾性部材を配することで、レッグ開口部からの液漏れを効果的に防ぐことができる。
また、図４（ｂ）に示す実施形態においては、弾性部材１０'が背側部Ｂに配されているが、これに代えて該弾性部材１０'を腹側部Ａに配してもよく或いは腹側部Ａ及び背側部Ｂの両方に配してもよい。
【手続補正１１】
【補正対象書類名】明細書
【補正対象項目名】００２５
【補正方法】変更
【補正の内容】
【００２５】
【図１】第１の実施形態の使い捨ておむつをバックシート側から見た一部破断平面図である。
【図２】図１に示す使い捨ておむつの包装状態を示す図である。
【図３】弾性部材の配置の態様を示す模式図である。
【図４】本発明の第２の実施形態の使い捨ておむつのウエスト開口部が拡開していく状態を示す模式図である。
【図５】本発明の第２の実施形態の使い捨ておむつにおける弾性部材の配置の別の態様を示す模式図（図４相当図）である。